(57)【要約】【課題】フラッパー上に載置された用紙の枚数の多少にかかわらず、給紙カセットから繰り出される用紙の排出角度を一定にできる給紙装置を提供する。【解決手段】用紙を収納する給紙カセット３１と、回動支軸部４１を支点として給紙カセット３１内で上下方向に回動自在に設置したフラッパー４０と、フラッパー４０上に積載された用紙の上面に当接して該用紙を繰り出すピックアップローラ６０とを備えた給紙装置３０において、フラッパー４０は、用紙の給紙方向（Ｘ方向）の後端辺４３ｂに回動支軸部４１を設けた後方載置部４３と、前端辺４２ａの近傍の上面にピックアップローラ６０が対向する前方載置部４２とを備え、後方載置部４３の前端辺４３ａと前方載置部４２の後端辺４２ｂが連結部４５で回動自在に連結されていると共に、前方載置部４２を水平状態に保って持ち上げるリフト機構５０を備えた。【選択図】図２
2008024500.tif 000002
【特許請求の範囲】
【請求項１】
用紙を収納する給紙カセットと、一端に設けた回動支軸部を支点として前記給紙カセット内で上下方向に回動自在に設置したフラッパーと、前記フラッパー上に積載された用紙の上面に当接して該用紙を繰り出すピックアップローラとを備えた給紙装置において、
前記フラッパーは、一端に前記回動支軸部を設けた後方載置部と、上面の所定位置に前記ピックアップローラが対向する前方載置部とを備え、前記後方載置部と前記前方載置部とが連結部で回動自在に連結されていると共に、
前記前方載置部を同一角度に保って持ち上げるリフト機構を備えたことを特徴とする給紙装置。
【請求項２】
請求項１に記載の給紙装置において、
前記前方載置部の上面に面する位置に、載置された用紙を検知する検知センサーを設置し、前記検知センサーが用紙を検知する位置まで前記リフト機構で前記前方載置部を持ち上げるように構成したことを特徴とする給紙装置。
【請求項３】
請求項１又は２に記載の給紙装置において、
前記リフト機構は、前記前方載置部を水平状態に保って持ち上げることを特徴とする給紙装置。
【請求項４】
請求項３に記載の給紙装置において、
前記リフト機構は、前記前方載置部の下面側で他の回動支軸部を支点として上下方向に回動自在に設置された押上板を備え、該押上板の回動端辺が前記前方載置部の下面に当接してこれを押し上げるように構成され、
前記押上板は、前記回動端辺が直線状に形成されていると共に、該回動端辺の辺方向及び前記他の回動支軸部の軸方向が、前記連結部の回動軸方向と直交する水平方向に配設されていることを特徴とする給紙装置。
【発明の詳細な説明】
【技術分野】
【０００１】
本発明は、給紙カセット内に収容されてフラッパー上に積載されている用紙の上面をピックアップローラに当接させ、該ピックアップローラの回転で用紙を繰り出して給紙する給紙装置に関するものである。
【背景技術】
【０００２】
ファクシミリやコピー機などの画像形成装置は、画像を記録する記録部へ記録用紙を給紙する給紙装置を備えている。この給紙装置として、特許文献１に示すように、記録用紙を収納する給紙カセットと、一端に設けた回動支軸部を支点として給紙カセット内に上下方向に回動自在に設置したフラッパーと、該フラッパーの回動端近傍の上方に設置されたピックアップローラとを備え、給紙カセット内に収容されてフラッパー上に載置されている記録用紙をフラッパーで持ち上げてピックアップローラに圧接させ、ピックアップローラの回転により記録用紙を給紙カセットから繰り出して給紙するものがある。
【特許文献１】特開２００４−２８４７４５号公報
【発明の開示】
【発明が解決しようとする課題】
【０００３】
ところが、上記の給紙装置が備えるフラッパーは、多くの記録用紙を載置するために、満紙又はそれに近い状態で、その上面が略水平な状態になるように設置されている。そのため、載置された記録用紙の残り枚数が少なくなると、フラッパーが給紙方向の前端側に向かって上方に傾斜した状態になり、記録用紙がさらに少なくなると傾斜角度がさらに急になる。これにより、ピックアップローラで繰り出される記録用紙が斜め上方に向かって排出されてしまい、繰り出された記録用紙が用紙搬送路の上部のガイド壁などに接触し、そのスムーズな搬送が妨げられるおそれがあった。
【０００４】
本発明は上述の点に鑑みてなされたものでありその目的は、フラッパー上に載置された用紙の枚数の多少にかかわらず、給紙カセットから繰り出される用紙の排出角度を一定にすることができ、用紙のスムーズな搬送が行える給紙装置を提供することにある。
【課題を解決するための手段】
【０００５】
上記課題を解決するため本願の請求項１に記載の発明は、用紙を収納する給紙カセットと、一端に設けた回動支軸部を支点として前記給紙カセット内で上下方向に回動自在に設置したフラッパーと、前記フラッパー上に積載された用紙の上面に当接して該用紙を繰り出すピックアップローラとを備えた給紙装置において、前記フラッパーは、一端に前記回動支軸部を設けた後方載置部と、上面の所定位置に前記ピックアップローラが対向する前方載置部とを備え、前記後方載置部と前記前方載置部とが連結部で回動自在に連結されていると共に、前記前方載置部を同一角度に保って持ち上げるリフト機構を備えたことを特徴とする。
【０００６】
本願の請求項２に記載の発明は、請求項１に記載の給紙装置において、前記前方載置部の上面に面する位置に、載置された用紙を検知する検知センサーを設置し、前記検知センサーが用紙を検知する位置まで前記リフト機構で前記前方載置部を持ち上げるように構成したことを特徴とする。
【０００７】
本願の請求項３に記載の発明は、請求項１又は２に記載の給紙装置において、前記リフト機構は、前記前方載置部を水平状態に保って持ち上げることを特徴とする。
【０００８】
本願の請求項４に記載の発明は、請求項３に記載の給紙装置において、前記リフト機構は、前記前方載置部の下面側で他の回動支軸部を支点として上下方向に回動自在に設置された押上板を備え、該押上板の回動端辺が前記前方載置部の下面に当接してこれを押し上げるように構成され、前記押上板は、前記回動端辺が直線状に形成されていると共に、該回動端辺の辺方向及び前記他の回動支軸部の軸方向が、前記連結部の回動軸方向と直交する水平方向に配設されていることを特徴とする。
【発明の効果】
【０００９】
本願の請求項１に記載の発明によれば、フラッパーは、一端に回動支軸部を設けた後方載置部と、上面の所定位置にピックアップローラが対向する前方載置部とを備え、後方載置部と前方載置部とが連結部で回動自在に連結されていると共に、前方載置部を同一角度に保って持ち上げるリフト機構を備えたので、フラッパー上に載置された用紙の積載枚数の多少にかかわらず、ピックアップローラが当接する前方載置部上の用紙の上面の角度を一定に保つことができ、ピックアップローラで繰り出される用紙を常に一定の角度で排出することができる。したがって、繰り出される用紙がピックアップローラの下流側の用紙搬送路のガイド壁などに接触するおそれがなくなり、用紙をスムーズに搬送することができるようになる。
【００１０】
本願の請求項２に記載の発明によれば、前方載置部の上面に面する位置に、載置された用紙を検知する検知センサーを設置し、検知センサーが用紙を検知する位置までリフト機構で前方載置部を持ち上げるように構成したので、簡単な構成で、フラッパー上に載置された用紙の枚数の多少にかかわらず、載置された用紙の上面を常に同じ状態でピックアップローラに当接させて用紙を繰り出すことが可能となる。また、ピックアップローラで繰り出される用紙が常に同じ高さ位置で繰り出されるようにすることができる。
【００１１】
本願の請求項３に記載の発明によれば、リフト機構は、前方載置部を水平状態に保って持ち上げるので、フラッパー上に載置された用紙の積載枚数の多少にかかわらず、ピックアップローラで繰り出される用紙を常に水平な角度で排出することができる。
【００１２】
本願の請求項４に記載の発明によれば、リフト機構は、前方載置部の下面側で他の回動支軸部を支点として上下方向に回動自在に設置された押上板を備え、該押上板の回動端辺が前方載置部の下面に当接してこれを押し上げるように構成され、押上板は、回動端辺が直線状に形成されていると共に、該回動端辺の辺方向及び他の回動支軸部の軸方向が、連結部の回動軸方向と直交する水平方向に配設されているので、フラッパーの前方載置部を水平状態に保って持ち上げるリフト機構を、簡単な構成で安価に実現することが可能となる。
【発明を実施するための最良の形態】
【００１３】
以下、本発明の実施形態を図面に基づいて詳細に説明する。
〔第１実施形態〕
図１は、本発明の第１実施形態に係る給紙装置を備えた画像形成装置を示す斜視図である。まず、同図を用いて画像形成装置の概略全体構成について説明する。本発明を適用する画像形成装置としては、給紙装置を備えた画像形成装置であれば、コピー機やファクシミリ装置やプリンタあるいはこれらの機能を兼ね備えたいわゆる複合機のうちのいずれであっても良い。同図に示す画像形成装置１は、下段側に設置された記録部２と、上段側に設置された読取部３とを備えている。記録部２には、記録用紙に画像を記録する記録装置４と、記録装置４へ記録用紙を供給する本発明の給紙装置３０とが備えられている。記録装置４は、図示及び詳細な説明は省略するが、内部に形成された用紙搬送経路に沿って現像器、帯電ブラシ、感光体ドラム、転写ローラ、露光ヘッド及び定着ローラなどが設置されている。
【００１４】
一方、読取部３は、原稿の画像を走査して読み取る画像読取装置１０と、該画像読取装置１０の前面側に取り付けられた操作パネル７と、画像読取装置１０の上部にその一辺が図示しないヒンジ機構で開閉可能に取り付けられた原稿押えカバー８とを備えている。原稿押えカバー８の一端部には、画像読取装置１０に原稿用紙を搬送する自動原稿搬送装置（ＡＤＦ装置）２０が設置されている。ＡＤＦ装置２０は、原稿供給トレイ２１上に載置された複数枚の原稿を順に画像読取装置１０に搬送し、画像読取装置１０で原稿の画像を読み取った後、原稿を原稿排出トレイ２３へ排出するようになっている。
【００１５】
ここで、給紙装置３０の構成を詳細に説明する。図２は、給紙装置３０を示す側断面図である。なお、以下の説明で給紙方向の前方又は後方というときは、同図の矢印Ｘで示す記録用紙が供給される方向における前後方向を指すものとする。この給紙装置３０は、同図に示すように、記録用紙を収納する給紙カセット３１と、給紙カセット３１内に収納された記録用紙を積載するフラッパー４０と、フラッパー４０上に積載された記録用紙の上面に当接して該記録用紙を繰り出すピックアップローラ６０とを備えている。給紙カセット３１は、図１に示すように、画像形成装置１の本体ケーシング９に設けたカセット受部５に引き出し状に挿入されていて、このカセット受部５から画像形成装置１の手前側方向に出し入れ可能になっている。
【００１６】
給紙カセット３１内に設置されたフラッパー４０は、その給紙方向の後端側に設けた回動支軸部４１を支点として上下方向に回動自在に設置されている。回動支軸部４１は、給紙カセット３１の両内側面３１ａ間に設置されてその軸方向が給紙方向と直交する水平方向に配設されている。またこのフラッパー４０は、給紙方向の前方側と後方側に配置された前方載置部４２と後方載置部４３とに分割されている。後方載置部４３は、その後端辺４３ｂに回動支軸部４１が設置されていて、前方載置部４２は、その上面の下記する所定位置にピックアップローラ６０が対向していて、これら後方載置部４３の前端辺４３ａと前方載置部４２の後端辺４２ｂとがヒンジ機構からなる連結部４５で回動自在に連結されている。これによりフラッパー４０の後方載置部４３は、給紙カセット３１の内底面３１ｂに対して平行な状態と、搬送方向の後方から前方に向かって上昇する傾斜状態との間で回動自在になっている。また後方載置部４３は、連結部４５を支点として前方載置部４２に対して上下方向に回動自在になっている。
【００１７】
一方、フラッパー４０の前方載置部４２の上面に対向するピックアップローラ６０は、カセット受部５内の上部に回転自在に取り付けられていて、前方載置部４２の給紙方向の前端辺４２ａの近傍の上面側に配置されている。このピックアップローラ６０は、その回転軸６０ｂの軸方向から見た形状が略半円弧形状であるローラ面６０ａを備え、図示しないモータなどの回転駆動機構により回転する際に、該ローラ面６０ａが下側を向いた状態で、前方載置部４２上に載置された記録用紙の上面に当接するようになっている。
【００１８】
また、前方載置部４２の上面に面する位置には、検知センサー６５が設置されている。この検知センサー６５は、カセット受部５内の上部に取り付けられた本体部６５ａと、該本体部６５ａに支軸部を介して揺動自在に取り付けられた揺動アーム６５ｂとからなる。本体部６５ａは、詳細な図示は省略するが投光部と受光部を備えたフォトインタラプターである。また揺動アーム６５ｂは、その揺動によって投光部と受光部との間に割り込み可能に取り付けられた薄板状の部材であり、軽微な外力の作用で揺動するようになっている。そして揺動アーム６５ｂの先端部が下降した位置でフォトインタラプターを遮光状態とし、その下降した位置から押し上げられた位置でフォトインタラプターを透光状態とするようになっている。揺動アーム６５ｂは、先端部が下降した遮光姿勢で停止するようになっている。なお、前方載置部４２上の最上段の記録用紙が検知センサー６５で検知される高さ位置にある状態で、この記録用紙がピックアップローラ６０で繰り出されるように設定されている。
【００１９】
またこの給紙装置３０には、フラッパー４０の前方載置部４２を持ち上げるリフト機構５０が設置されている。図３は、図２のＡ方向矢視図で、リフト機構５０を給紙方向の上流側から見た図である。また図４は、フラッパー４０とリフト機構５０の配置構成を示す概略平面図である。図２乃至図４に示すように、リフト機構５０は、前方載置部４２の下面側で回動支軸部（他の回動支軸部）５１を支点として上下方向に回動自在に設置された押上板５２を備えている。回動支軸部５１は、給紙カセット３１の内底面３１ｂに設けられ、その軸方向（図４の矢印Ｂ方向）が給紙方向の前後方向と同方向に配置されている。また押上板５２は、その回動端辺５２ａが直線状に形成されていると共に、該回動端辺５２ａの辺方向及び上記の回動支軸部５１の軸方向がいずれも、連結部４５の回転軸４５ａの軸方向（図４の矢印Ｃ方向）と直交する水平方向に配設されている。これにより押上板５２は、図示しないモータなどからなる回転駆動機構によって上方に回動することで、その回動端辺５２ａが前方載置部４２の下面に当接してこれを押し上げるように構成されていて、回動端辺５２ａが前方載置部４２の下面における搬送方向の前後方向に直線状に当接することで、前方載置部４２を水平状態に保って持ち上げるようになっている。またこのリフト機構５０は、検知センサー６５からの信号に基づいて押上板５２の回動を制御する制御手段（図示せず）を備えていて、この制御手段によって、検知センサー６５が前方載置部４２上の記録用紙の上面を検知する位置まで、前方載置部４２を持ち上げるように構成されている。
【００２０】
図５は、給紙装置３０を示す側面図で、フラッパー４０上に載置された記録用紙が満紙又はこれに近い状態を示す図である。フラッパー４０は、同図に示すように載置された記録用紙が満紙又はこれに近い状態では、記録用紙の自重によって、連結部４５がその側方から見て略一直線状になり、前方載置部４２と後方載置部４３とが同一水平面上に配置される。またその一方で、図２に示すように、載置された記録用紙が空紙に近い状態では、連結部４５が上側に向かって凸になるように屈曲し、後方載置部４３が給紙方向の前方に向かって次第に上昇する傾斜面状になり、前方載置部４２が水平面状になる。このように、前方載置部４２と後方載置部４３の搬送方向における長さ寸法や、回転支軸部４１と連結部４５の配置構成は、フラッパー４０上に載置された記録用紙が空紙又はそれに近い状態でも前方載置部４２が水平状態を保つことができる取り合いになっている。
【００２１】
次に、上記構成の給紙装置３０における記録用紙の給紙動作について説明する。まず、給紙カセット３１をカセット受部５から引き出してその内部に記録用紙をセットする。記録用紙がセットされた給紙カセット３１をカセット受部５内に収納すると、回転駆動機構により押上板５２が回動して、フラッパー４０の前方載置部４２が持ち上げられる。そして、検知センサー６５が前方載置部４２に載置された記録用紙の上面を検知する位置まで前方載置部４２が持ち上げられたら、押上板５２の回動が停止して、前方載置部４２がその高さ位置で静止する。このとき前方載置部４２は水平状態を保って持ち上げられて、その上に載置された記録用紙の上面が水平な状態になる。
【００２２】
その状態でピックアップローラ６０が回転する。そしてローラ面６０ａが下側を向いたときに最上段の記録用紙の上面に接触することで、記録用紙が給紙方向へ繰り出される。このとき、前方載置部４２上の記録用紙の上面が水平になっているので、ピックアップローラ６０で繰り出される記録用紙は、給紙方向に向かって水平な角度で排出されて給紙される。そして、この記録用紙の繰り出しによってフラッパー４０上に載置された記録用紙が減った分だけその厚み寸法が減少すると、検知センサー６５が再び記録用紙の上面を検知する位置までフラッパー４０の前方載置部４２が上昇する。
【００２３】
このピックアップローラ６０による記録用紙の給紙動作が繰り返されて、フラッパー４０上に載置された記録用紙の枚数が減少すると、前方載置部４２がさらに持ち上げられてその高さ位置が次第に高くなる。その際、前方載置部４２は押上板５２によって常に水平状態を保って持ち上げられるので、フラッパー４０上の記録用紙の枚数の多少にかかわらず、ピックアップローラ６０で繰り出される記録用紙は常に水平な角度に排出されるようになる。したがって、繰り出される記録用紙がピックアップローラ６０の搬送下流側の用紙搬送路のガイド壁（図示せず）などに接触するおそれがなくなるので、記録用紙の搬送がスムーズに行えるようになる。
【００２４】
また、検知センサー６５が記録用紙の上面を検知する位置までリフト機構５０で前方載置部４２を持ち上げるので、フラッパー４０上に載置された記録用紙の枚数の多少にかかわらず、載置された記録用紙の上面を常に同じ状態でピックアップローラ６０に当接させて記録用紙を繰り出すことが可能となる。また、ピックアップローラ６０で繰り出される記録用紙が、常に同じ高さ位置で繰り出されるようにすることができる。
【００２５】
そして、給紙装置３０から給紙されてピックアップローラ６０の下流側の用紙搬送路を搬送された記録用紙は、記録装置４へ送られる。記録装置４では、用紙搬送経路を搬送される記録用紙上に画像が記録される。画像が記録された記録用紙は、記録紙排出トレイ６へ搬出される。
【００２６】
以上説明したように本実施形態の給紙装置３０では、フラッパー４０上に載置された記録用紙の枚数の多少にかかわらず、前方載置部４２上の記録用紙の上面が常に水平状態に保たれるので、ピックアップローラ６０で繰り出される記録用紙は、給紙方向に向かって水平な角度で排出される。したがって、記録用紙の搬送がスムーズに行える給紙装置３０となる。またフラッパー４０は、図５に示したように載置された記録用紙が満紙又はそれに近い状態で、前方載置部４２と後方載置部４３とが同一水平面上に配置されるので、ピックアップローラ６０で繰り出される記録用紙の排出角度を常に一定にしながらも、フラッパー４０上に多くの記録用紙を載置することができる給紙装置３０となる。
【００２７】
また、上記の給紙装置３０では、リフト機構５０は、前方載置部４２の下面側で上下方向に回動自在に設置された押上板５２を備え、押上板５２は、その回動端辺５２ａが直線状に形成されていると共に、該回動端辺５２ａの辺方向及び回動支軸部５１の軸方向が連結部４５の回動軸方向と直交する水平方向に配設されている。この構成によって、前方載置部４２を水平状態に保って持ち上げるリフト機構５０を、簡単な構成で安価に実現している。
【００２８】
〔第２実施形態〕
次に、本発明の第２実施形態にかかる給紙装置を備えた画像形成装置について説明する。なお、本実施形態にかかる画像形成装置においては、上記の第１実施形態にかかる画像形成装置と同一又は相当する構成部分には同一符号を付し、その詳細な説明は省略する。また、以下で説明する事項以外の事項や図示する以外の部分については、上記の第１実施形態と同じである。本実施形態の画像形成装置が備える給紙装置３０−２では、フラッパー４０の前方載置部４２を持ち上げるリフト機構５０−２として、第１実施形態の給紙装置３０のリフト機構５０が備える押上板５２に代えて、給紙カセット３１の内底面３１ｂと前方載置部４２の下面との間に介在する付勢手段であるコイルスプリング５５と、前方載置部４２を水平状態に保って上下方向に案内する案内手段であるスライダー５６とを備えている。
【００２９】
コイルスプリング５５は、前方載置部４２をできるだけ均等に付勢して水平に持ち上げるように、その下面の前端辺４２ａと後端辺４２ｂの近傍や、下面の各隅部などに設置することが望ましい。スライダー５６は、給紙カセット３１の給紙方向に対する両内側面３１ａに上下方向に形成された直線状の溝部５６ａと、前方載置部４２の両外側部に設けた溝部５６ａに係合する突起部５６ｂとで構成されている。これによりリフト機構５０−２では、コイルスプリング５５によって上方に向かって付勢された前方載置部４２が、スライダー５６で水平状態を保って持ち上げられるようになっている。
【００３０】
また、本実施形態の給紙装置３０−２では、フラッパー４０の前方載置部４２の前端辺４２ａに対向する位置に、フラッパー４０上に載置された記録用紙を係止するスナバー７０が設けられている。このスナバー７０は、前方載置部４２上の記録用紙の前端辺の両隅部に対応して一対設けられ、各スナバー７０は、詳細な図示は省略するが、その上方から見た形状が略三角形状の分離爪７０ａと、記録用紙の前端辺に対向する制止部７０ｂとを備えている。またこのスナバー７０は、下端部に設けた回動支点７１を中心に給紙方向の前後に回動するようになっていると共に、給紙カセット３１の内側面との間に介在するコイルスプリング７２によって給紙方向の後方へ付勢されている。このスナバー７０は、分離爪７０ａで前方載置部４２上の記録用紙の上端の両隅部を係止して、その上方への移動を規制すると共に、制止部７０ｂで前方載置部４２上の記録用紙の前端辺を係止してその給紙方向の前方への移動を規制するようになっている。本実施形態では、前方載置部４２上に積載された記録用紙を検知する検知センサー６５は設けておらず、スナバー７０の分離爪７０ａによって前方載置部４２の上方への移動が規制されることで、前方載置部４２に載置された記録用紙の上面が常に同じ高さ位置にある状態で、前方載置部４２の上昇が停止するようになっている。
【００３１】
本実施形態の給紙装置３０−２では、フラッパー４０上に載置された記録用紙がピックアップローラ６０で給紙され、その枚数（厚み寸法）が減少すると、その分、前方載置部４２がコイルスプリング５５の付勢力で持ち上げられるようになっている。したがって、フラッパー４０上に載置された記録用紙の枚数の多少にかかわらず、記録用紙の上面に常に同じ状態でピックアップローラ６０が押圧される。またそのとき前方載置部４２は、スライダー５６によって常に水平状態を保って持ち上げられるので、繰り出される記録用紙が常に水平な角度で排出されるようになる。なお本給紙装置３０−２では、フラッパー４０の回動支軸部４１は、前方載置部４２の上下動に伴って給紙方向の前後に若干移動可能になっている。
【００３２】
以上本発明の実施形態を説明したが、本発明は上記実施形態に限定されるものではなく、特許請求の範囲、及び明細書、図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。例えば、検知センサー６５の設置位置は、フラッパー４０の前方載置部４２の上面に面する位置であればよく、その具体的な設置位置は上記第１実施形態の各図に示す位置には限定されない。また、リフト機構の具体的な構成も上記各実施形態に示すものには限定されず、フラッパーの前方載置部を同一角度に保って持ち上げることができる機構であれば、他の構成とすることも可能である。また、ここでいう同一角度とは、上記実施形態で示した水平な状態には限られず、一定の傾斜角度を保った状態で持ち上げることも含まれる。また、本発明の給紙装置で給紙する用紙は、画像を記録する記録用紙に限らず、原稿用紙など他の種類の用紙としてもよい。その場合は、本発明の給紙装置を原稿搬送装置などに設置することも可能である。
【図面の簡単な説明】
【００３３】
【図１】本発明の第１実施形態に係る給紙装置を備えた画像形成装置の全体構成例を示す斜視図である。
【図２】給紙装置の構成例を示す側断面図で、フラッパー上に載置された記録用紙が空紙に近い状態を示す図である。
【図３】図２のＡ方向矢視図で、リフト機構の押上板を給紙方向の後方から見た図である。
【図４】給紙装置のフラッパーとリフト機構の構成例を示す概略平面図である。
【図５】給紙装置の構成例を示す側断面図で、フラッパー上に載置された記録用紙が満紙又はそれに近い状態を示す図である。
【図６】本発明の第２実施形態に係る給紙装置の構成例を示す側断面図である。
【符号の説明】
【００３４】
１        画像形成装置
４        記録装置
５        カセット受部
９        本体ケーシング
１０      画像読取装置
２０      自動原稿搬送装置（ＡＤＦ装置）
３０      給紙装置
３０−２  給紙装置
３１      給紙カセット
３１ａ    内側面
３１ｂ    内底面
４０      フラッパー
４１      回動支軸部
４２      前方載置部
４３      後方載置部
４５      連結部
４５ａ    回転軸
５０      リフト機構
５０−２  リフト機構
５１      回動支軸部（他の回動支軸部）
５２      押上板
５２ａ    回動端辺
５５      コイルスプリング
５６      スライダー
６０      ピックアップローラ
６５      検知センサー
７０      スナバー
【図１】
2008024500.tif 000003
【図２】
2008024500.tif 000004
【図３】
2008024500.tif 000005
【図４】
2008024500.tif 000006
【図５】
2008024500.tif 000007
【図６】
2008024500.tif 000008